(57)【要約】【課題】パッキンと椀形座金の組み合わせからなる、止水性能の優れたをシール装置を提供する。【解決手段】略半球形状の外形に形成されたパッキン２と、前記パッキン２に対して上面から被せることのできる椀形に形成された座金３の組み合わせからなり、パッキン２の下面において、上下方向の軸心と同軸心の配置となる複数の環状突起２ｄ、２ｅが設けられ、前記環状突起２ｄ、２ｅは、外周側に位置するものほど下方への突出量が高く、最外側に位置する環状突起２ｄはパッキン２の外周部下面に位置し、最内側に位置する環状突起２ｅは、その最内径ｄがパッキン２の上部に設けた座金取付筒２ｃの内径以上で外径以下に設定されている。【選択図】図３
2018059595.tif 000002
【特許請求の範囲】
【請求項１】
弾力性のある材料を用い、上面側が凸形曲面で下面が平坦となる略半球形状の外形に形成されたパッキンと、前記パッキンの凸形曲面に接合する内周面を有し、パッキンに対して上面から被せることのできる椀形に形成された座金の組み合わせからなるネジのシール装置において、前記パッキンは、上下方向の軸心に沿って貫通するネジ挿通孔と、内径が前記ネジ挿通孔に一致する状態でパッキンの頂部から上方に突出する座金取付筒と、パッキンの下面において上下方向の軸心と同軸心の配置となる複数の環状突起が設けられ、前記環状突起は、外周側に位置するものほど下方への突出量が高く、最外側に位置する環状突起はパッキンの外周部下面に位置し、最内側に位置する環状突起は、その最内径が前記座金取付筒の内径以上で外径以下に設定されていることを特徴とするパッキンを用いたネジのシール装置。
【請求項２】
上記座金は、その頂部に座金取付筒への嵌合孔が設けられ、前記パッキンに被せた取付状態で、その下縁から最外側に位置する環状突起パッキンが露見するように、パッキンの略半球形状よりも浅い椀形になっていることを特徴とする請求項１に記載のパッキンを用いたネジのシール装置。
【請求項３】
上記ネジ挿通孔は、挿通するネジの軸部径よりも大径に形成され、このネジ挿通孔の内周面にネジの軸部を保持するための支持リブが周設されていることを特徴とする請求項１又は２に記載のパッキンを用いたネジのシール装置。
【発明の詳細な説明】
【技術分野】
【０００１】
この発明は、ネジによる屋根材等の固定部分を止水するためのパッキンを用いたネジのシール装置に関する。
【背景技術】
【０００２】
ボルトのような有頭のネジを用い、例えば、屋根材を構造物に固定する場合、屋根材にネジの軸部が貫通する取付孔を設け、この取付孔に挿通したネジを構造物にねじ込むことにより固定するが、この場合、取付孔からの雨水の浸入を防ぐため、ネジの頭部下と屋根材の間にシール装置を介在させ、ネジを締め付けてシール装置を圧縮することで、ネジと屋根材との間に生じる隙間を止水するようにしている。
【０００３】
上記のようなシール装置の一般的な構造は、ゴムのような弾性材料を用いて形成され、ネジの軸部を挿通するよう形成したパッキンと、このパッキンをネジの締め付けによって圧縮及び保護するための座金の組み合わせから構成されているが、このようなシール装置の止水性能を向上させるため、前記パッキンを略半球形状に形成すると共に、座金をこのパッキンに上から被せる椀形の形状とし、パッキンのネジの軸部を挿通する中央部分を厚肉にすることで、圧縮時にパッキンの略半球形状の特徴を有効に利用し、前記中央部分から下面間の圧縮変形量を多くすることで、頭部下面と座金間及び屋根材に対するパッキンの圧接力を高め、屋根材の取付孔に対して止水性の向上を図るようにしたシール装置が知られている（例えば、特許文献１と２参照）。
【０００４】
また、パッキンと座金の組み合わせからなるシール装置において、パッキンの下面における屋根材への更なる止水性の向上を図るため、パッキンの下面に複数の環状突起を同軸心の配置で設け、パッキンの圧縮時に環状突起を屋根材へ押し潰し状に圧接させるようにしたものが提案されている（例えば、特許文献３参照）。
【先行技術文献】
【特許文献】
【０００５】
【特許文献１】実公平１−２８３３２号公報
【特許文献２】実公昭６３−３４５４号公報
【特許文献３】実開平７−３８７３８号公報
【発明の概要】
【発明が解決しようとする課題】
【０００６】
ところで、特許文献１や２のようなシール装置のパッキンは、略半球状でその下面がフラットな平坦面になっており、ネジの締め付けによりパッキンが圧縮されてその下面が屋根材上に圧接した場合に、パッキンに加わった圧縮力が下面全面に対して均等に分散し、下面全面が屋根材上に圧接するようにしなければ、十分な止水効果を確保することが望めない。
【０００７】
しかしながら、パッキンを締め付けるネジは、屋根材に対して垂直にねじ込んだ状態においてパッキンを均一に圧縮することはできるが、実際の現場においては、ネジが傾斜してねじ込まれる場合が往々にしてある。
【０００８】
ネジが傾斜してねじ込まれると、ネジの頭部下面によるパッキンの上下方向の圧縮に偏りが生じ、パッキンはネジの傾斜側が強く圧縮されるのに対して反対側は弱くなることで、パッキン下面の屋根材に対する圧接力が場所によって変動し、圧接力の弱い部分の止水性が低下するという問題が生じる。
【０００９】
即ち、パッキンを略半球形状に形成すると共に、座金をこのパッキンに上から被せる椀形とし、パッキンの中央部分の肉厚を効果的に利用し、圧縮時の変形による止水性能を向上させようとしたシール装置において、ネジが斜めにねじ込まれたような場合には、パッキンに採用した略半球形状のもつ中央部分の肉厚構造の利点を有効に生かすことができていないのが実情である。
【００１０】
また、特許文献３のようなシール装置のパッキンは、薄い円板状でその下面に内外二重の環状突起を下方への突出高さが等しくなるように設け、外側の環状突起はパッキンの外周よりも内側の位置に、内側の環状突起は下部広がりとなる内周面がネジ挿通孔の内周に連続する位置になるようそれぞれ設定され構造になっており、ネジの締め付けによるパッキンの圧縮力を下面の各環状突起に分散させることで、各環状突起を屋根材へ押し潰し状に圧接させ、このような二重の環状圧接部分によって屋根材との間の止水性を向上させようとするものである。
【００１１】
ここで、本発明者は、上記特許文献１や２のような略半球状となるパッキンを用いたシール装置の止水性能を更に向上させんと鋭意研究をするなかで、特許文献３のような二重の環状突起による止水性の機能に着目し、略半球形状に形成されたパッキンの下面に、前記特許文献３に記載されたような環状突起を採用するのが好ましいという考えに到った。
【００１２】
しかしながら、略半球形状に形成されたパッキンの下面に、前記特許文献３に記載されたような環状突起をそのまま設けても、略半球形状パッキンの形状的な特性により、下記に述べるように所望する止水性能の向上を得るのが困難であることが判明した。
【００１３】
即ち、略半球形状パッキンの上下厚みは、中心部ほど厚肉になっていると共に外形が椀形の座金によって保形されることになるので、ネジの締め付けによるり加圧されたパッキンは周囲よりも中心部に近い部分の圧縮する量が多くなり、特許文献３のように、内側の環状突起の位置が、ネジ挿通孔の内周に連続するように設定されていると、圧縮時にこの内側環状突起はネジ挿通孔側に逃げるように押し下げられ、このため、内側環状突起の屋根材に作用する圧接量と圧力が減少することになり、内側環状突起による止水性の向上を十分に生かしきれないことになる。
【００１４】
また、略半球形状パッキンを圧縮したとき、圧縮による外方への逃げにより、その下部外周部は座金の下縁と屋根材との隙間から外方に張り出そうとするが、特許文献３のように、外側の環状突起がパッキンの外周よりも内側に位置すると、パッキンの下部で外側の環状突起よりも外側の部分が、前記隙間から外方へ大きな抵抗なしに座金の外方へ逃げることになり、このため、外側環状突起に作用する圧縮量が減少することになり、外側環状突起による止水性の向上を十分に生かしきれないことになる。
【００１５】
更に、パッキンを圧縮するネジが傾斜してねじ込まれた場合、内外環状突起の下方への突出高さが同じで、かつ、外側の環状突起がパッキンの外周よりも内側に位置していると、パッキンの下部は、ネジの傾斜側が多く圧縮されることでネジの傾斜と反対側に向けて流れ、このため、座金の下縁と屋根材の隙間から座金の外方へのはみ出し量が増加することになり、ネジの傾斜と反対側において、外側の環状突起の屋根材に対する圧接力が減少することで、ネジの軸部が貫通する取付孔に対する止水性能が低下するという問題が生じることになる。
【００１６】
そこで、この発明の発明者は、略半球形状に形成したパッキンと椀形座金の組み合わせからなるシール装置の更なる止水性能の向上を鋭意研究するなかで、パッキンの下面に設ける環状突起の最適な条件を見出し、ネジが傾斜してねじ込まれた場合でも止水性能の低下発生がないシール装置の完成に至ったものであり、従って、この発明は止水性能の優れたシール装置を提供することを課題としている。
【課題を解決するための手段】
【００１７】
上記のような課題を解決するため、請求項1の発明は、弾力性のある材料を用い、上面側が凸形曲面で下面が平坦となる略半球形状の外形に形成されたパッキンと、前記パッキンの凸形曲面に接合する内周面を有し、パッキンに対して上面から被せることのできる椀形に形成された座金の組み合わせからなるネジのシール装置において、前記パッキンは、上下方向の軸心に沿って貫通するネジ挿通孔と、内径が前記ネジ挿通孔に一致する状態でパッキンの頂部から上方に突出する座金取付筒と、パッキンの下面において上下方向の軸心と同軸心の配置となる複数の環状突起が設けられ、前記環状突起は、外周側に位置するものほど下方への突出量が高く、最外側に位置する環状突起はパッキンの外周部下面に位置し、最内側に位置する環状突起は、その最内径が前記座金取付筒の内径以上で外径以下に設定したものである。
【００１８】
請求項２の発明は、請求項１の発明において、上記座金は、その頂部に座金取付筒への嵌合孔が設けられ、前記パッキンに被せた取付状態で、その下縁から最外側に位置する環状突起パッキンが露見するように、パッキンの略半球形状よりも浅い椀形にしたものである。
【００１９】
請求項３の発明は、請求項１又は２の発明において、上記ネジ挿通孔は、挿通するネジの軸部径よりも大径に形成され、このネジ挿通孔の内周面にネジの軸部を保持するための支持リブが周設されている構造としたものである。
【００２０】
ここで、パッキンは、弾力性のあるゴムや合成樹脂を用い、上下方向の軸心に沿ってビスの軸部外径よりも少し大径のネジ挿通孔が貫通し、頂部から上方に突出する座金取付筒の外周面で上端部寄りの位置に、座金が抜けないように係止する環状鍔が周設され、ネジはねじ込み時に頭部下面で座金取付筒の上端部を押し下げ、座金を介してパッキンを圧縮することになり、座金取付筒は加圧により外側へ圧縮することでネジの頭部下面と座金上面間をシールし、ネジ挿通孔の上端を止水することになる。
【００２１】
また、座金は、金属材料を用いて椀形に形成され、座金の下部内径はパッキン本体の下部外径に対して僅かな隙間が生じるような条件に形成され、圧縮時における半径方向への逃げを許容することで、上下方向の収縮ストローク量を確保し、下面に設けた最内側に位置する環状突起の屋根材への圧接を可能にしている。
【発明の効果】
【００２２】
この発明によると、略半球形状の外形に形成されたパッキンと、このパッキンに対して上面から被せる椀形に形成された座金の組み合わせからなるネジのシール装置において、前記パッキンの下面に複数の環状突起を設け、前記環状突起は、外周側に位置するものほど下方への突出量が高く、最外側に位置する環状突起はパッキンの外周部下面に位置し、最内側に位置する環状突起は、その最内径が前記座金取付筒の内径以上で外径以下となるように設定したので、屋根材の上に載置して最外側に位置する環状突起が屋根材の上に当接した状態で、ネジの締め付けによる上部からの加圧時に、パッキンの厚みがある中心側を効率よく下降させて最内側に位置する環状突起を確実に押し下げることができ、このとき、最内側に位置する環状突起の最内径が座金取付筒の内径以上で外径以下になっていると、最内側に位置する環状突起よりも内側部分の位置を効率的に押し下げてこの環状突起を外径側に圧縮さけることができ、最内側に位置する環状突起を屋根材へ確実に圧接させることで、最内側に位置する環状突起による止水性を確保することができる。
【００２３】
また、最外側に位置する環状突起をパッキンの下面外周に設けたので、パッキンの圧縮時に最外側に位置する環状突起を座金の下縁における内部の位置で圧縮させることができ、座金の下縁と屋根材間の隙間を内側から閉じるように作用することで、前記隙間からパッキンが座金の外部に逃げて張り出すのを防ぎ、パッキンの全量を座金内で圧縮させることで屋根材に対する最外側に位置する環状突起の圧接量を確保し、最外側に位置する環状突起による止水性を向上させることができ、このように、最外側と上記した最内側の環状突起による多段止水により、略半球形状のパッキンを用いたシール装置の性能を大幅に向上させることができる。
【００２４】
更に、パッキンの下面に複数の環状突起を同軸心状の配置で設け、この環状突起は外周側に位置するものほど下方への突出量が高くなるようにしたので、最外側に位置する環状突起の上下に圧縮可能な量を多く確保することができ、これにより、ネジが傾斜してねじ込まれてパッキンの圧縮が片寄った場合でも、最外側に位置する環状突起のネジの傾斜と反対側における部分においても屋根材への圧接による止水を維持できる。
【図面の簡単な説明】
【００２５】
【図１】この発明に係るネジのシール装置を形成するパッキンと座金を上下に分離した状態で示す縦断正面図
【図２】この発明に係るネジのシール装置の組み立て状態を示す一部切り欠き正面図
【図３】この発明に係るネジのシール装置を用い、屋根材を固定した使用状態の一部切り欠き正面図
【発明を実施するための形態】
【００２６】
以下、この発明の実施の形態を添付図面に基づいて説明する。
【００２７】
図１と図２のように、この発明のネジのシール装置１は、ゴムや合成樹脂のような弾力性のある材料を用い、上面側が凸形曲面で下面が平坦となる低い略半球形状の外形に形成されたパッキン２と、前記パッキン２の凸形曲面に接合する内周面を有し、パッキン２に対して上面から被せることのできる椀形に形成された座金３の組み合わせからなり、例えば、図３に示すように、ボルトのようなネジ４を用い、構造物上に屋根材５を固定する場合に、ネジ４の軸部４ａに外嵌する状態でネジ４の頭部４ｂにおける下面と屋根材５の間をシールし、屋根材５に対してネジ４の貫通部分を防水するものである。
【００２８】
上記パッキン２は、略半球形状となるパッキン本体２ａに対して、上下方向の軸心に沿って貫通するネジ挿通孔２ｂと、内径が前記ネジ挿通孔２ｂに一致する状態でパッキン本体２ａの頂部から上方に突出する座金取付筒２ｃと、パッキン本体２ａの下面において上下方向の軸心と同軸心の配置となる複数の環状突起２ｄ、２ｅが設けられ、前記ネジ挿通孔２ｂは、組み合わせ使用するネジ４の軸部４ａの径よりも大径に形成され、このネジ挿通孔２ｂの内周面にネジ４の軸部４ａを保持するための支持リブ２ｆが周設されている。
【００２９】
上記パッキン本体２ａの頂部から上方に突出する座金取付筒２ｃは、座金３を形成する金属板の板厚よりも長い突出長さを有し、その上端部寄りの外周面に、座金３が抜けないように係止する環状鍔２ｇが周設され、ネジ４はねじ込み時に頭部４ｂの下面で座金取付筒２ｃの上端部を押し下げて圧縮することになる。
【００３０】
上記パッキン本体２ａの下面に設けた複数の環状突起２ｄ、２ｅは、図示の場合、パッキンの外周側に設けた最外側に位置する環状突起２ｄと、ネジ挿通孔２ｂの外側に近接して設けた最内側に位置する環状突起２ｅの内外二重からなり、それぞれ下部先端が円弧状となり、最内側に位置する環状突起２ｅよりも最外側に位置する環状突起２ｄの方が下方への突出量が高くなっている。なお、複数の環状突起２ｄ、２ｅは、図示例以外に内外三重以上であってもよく、この場合、外周側に位置するものほど下方への突出量が高くなるように設ける。
【００３１】
上記した最内側に位置する環状突起２ｅの最内径ｄとは、該環状突起２ｅの内周面とパッキン本体２ａの下面がなすコーナ部分の直径をいい、前記座金取付筒２ｃの内径以上で外径以下となるように設定されている。即ち、座金取付筒２ｃは、ネジ挿通孔２ｂと同径となる内径とこれよりも大径である外径の筒状となり、前記環状突起２ｅの最内径がこの座金取付筒２ｃの周囲厚み内に収まるような条件に設定されている。
【００３２】
ちなみに、一例として、下面直径が２０〜２５ｍｍとなる大きさに形成したパッキン本体２ａの場合、最内側に位置する環状突起２ｅの最内径が９〜１３ｍｍの程度になるような条件に、座金取付筒２ｃやネジ挿通孔２ｂの径が設定され、このような場合において、最内側に位置する環状突起２ｅは下方への突出高さが１ｍｍ程度に設定され、これに対して、最外側に位置する環状突起２ｄの下方への突出高さは３ｍｍ程度に設定されており、前記最外側に位置する環状突起２ｄの外面はパッキン本体２ａの外面から連なるように形成されている。
【００３３】
次に、上記した座金３は、パッキン本体２ａに被せた取付状態で、その下縁から最外側に位置する環状突起２ｄが露出するように、金属板材を用いてパッキン本体２ａの略半球形状に適合する浅い椀形に形成され、その頂部に座金取付筒２ｃへの嵌合孔３ａが設けられ、この座金３の下部内径はパッキン本体２ａの下部外径に対して僅かな隙間が生じるような条件に形成され、外周は少し外方に湾曲している。
【００３４】
この発明のパッキンを用いたネジのシール装置１は、上記のような構成であり、例えば構造物上に屋根材５をネジ４で固定する部分を止水するために用いるものであり、屋根材５を固定するために用意したネジ４は、構造物と屋根材５の固定位置において、屋根材５に直接ねじ込んで貫通させた後に構造物にねじ込むか、屋根材５に設けたネジ４の軸部挿通孔５ａに挿通して構造物にねじ込むことによって固定を行い、その軸部４ａがネジ挿通孔２ｂよりも少し小径になるものを用いる。
【００３５】
シール装置１は、パッキン２に上から座金３を被せながら頂部の嵌合孔３ａを座金取付筒２ｃへ押し込んで環状鍔２ｇを通過させ、パッキン２の外側を座金３で覆って両者を抜け止め状に組み合わせて組み立て、このシール装置１を屋根材５上でネジ４のねじ込み位置又は軸部挿通孔５ａの部分に載置し、ネジ４の軸部４ａをパッキン２の座金取付筒２ｃからネジ挿通孔２ｂを介して屋根材５にねじ込んで貫通させるか、軸部挿通孔５ａに挿通させる。なお、シール装置１は、ネジ４の軸部４ａに予め取付けた状態で、前記ネジ４による固定作業を行い、屋根材５上に載置するようにしてもよい。
【００３６】
上記パッキン２は、ネジ挿通孔２ｂの内周面に支持リブ２ｆが周設されているので、ネジ挿通孔２ｂとこれに挿入した軸部４ａの間に隙間を確保でき、図示のように、内周が下がる湾曲の断面形状とすると、軸部４ａの差し込み作業時に、この軸部４ａのねじ山でネジ挿通孔２ｂの内周に傷を生じさせないようにでき、パッキン２に対して軸部４ａを引き抜き、シール装置１を再固定することに支障が生じないと共に、支持リブ２ｆの保持力で軸部４ａに対してシール装置１の取り付け状態を保持できるので、シール装置１を取付けたネジ４の取り扱いが容易となる。
【００３７】
屋根材５上に載ったパッキン２は、下面の最外側に位置する環状突起２ｄが屋根材５上に接触し、パッキン本体２ａの下面と最内側に位置する環状突起２ｅは屋根材５から浮き上がり、この状態でネジ４を構造物のネジ孔にねじ込むと、図３のように、頭部４ｂの下面が座金取付筒２ｃを押し下げ、この押し下げ力により座金取付筒２ｃが圧縮されながら座金３よってパッキン２全体が押し下げられ、前記座金取付筒２ｃは外方へ拡張するように圧縮され、頭部４ｂの下面と座金３における嵌合孔３ａの周囲上面の間に挟み込まれ、頭部４ｂの下面と座金３の嵌合孔３ａの間をシールする。
【００３８】
また、座金取付筒２ｃが押し下げられると、パッキン本体２ａに対して作用する初期の押し下げ力は、座金取付筒２ｃの横断面形状に一致する筒状となってその下方の部分に作用し、パッキン本体２ａの下面は、最外側に位置する環状突起２ｄが屋根材５の上に押し付けられた状態で、パッキン本体２ａの上下に厚みのある中央側の部分が効率よく下降し、これにより、最内側に位置する環状突起２ｅが下降して屋根材５上に押し付けられ、これと同時に座金３がパッキン本体２ａ全体を上から圧縮することになる。
【００３９】
上記最内側に位置する環状突起２ｅは、その最内径が座金取付筒２ｃの内径以上で外径以下となるように設定されているので、パッキン本体２ａの内側部分において、座金取付筒２ｃの横断面形状に一致する筒状となってその下側の部分が押し下げられたとき、最内側に位置する環状突起２ｅは片寄った押し下げ力が加わることで、最内径の部分から外側に向けて傾くように圧縮され、ネジ挿通孔２ｂ側に張り出すことがないので、パッキン本体２ａと屋根材５の間の止水性を向上させることができる。
【００４０】
上記のような状態で更にネジ４の締め付けが進むと、座金３の内部で閉じ込められたパッキン本体２ａの全体に圧縮力が加わり、最外側と最内側に位置する環状突起２ｄ、２ｅが圧縮することでパッキン本体２ａの下面全体が屋根材５上に圧接し、パッキン２と屋根材５の間を両環状突起２ｄ、２ｅにより内外二重にシールすることになる。
【００４１】
また、パッキン本体２ａを締め付けることができるように、座金３はパッキン本体２ａの略半球形状よりも浅い椀形にして、座金３の下縁と屋根材５の間に締め代のための間隔を形成しているが、最外側に位置する環状突起２ｄは、パッキン本体２ａの下面外周部分に設けられ、かつ、最内側に位置する環状突起２ｅより下方への突出量が高くなっているので、パッキン本体２ａの外周部における圧縮量の増加を確保でき、これにより、パッキン本体２ａが締め付けられたとき、最外側に位置する環状突起２ｄは座金３の内周下部の位置において屋根材５との間で圧縮し、座金３の下縁と屋根材５の間に形成されている締め代のための間隔を閉じるように作用し、パッキン本体２ａが前記間隔から外方へ逃げて張り出すのを防ぎ、パッキン本体２ａを座金３内に確実に閉じ込めることで屋根材５上への圧着効率を向上させることができる。
【００４２】
上記のように、ネジ４を締め付けた屋根材５の固定状態で、ネジ４の頭部４ｂの下面と座金３の頂部間がその間で圧縮された座金取付筒２ｃによってシールされ、又、パッキン本体２ａの下面と屋根材５の間は、パッキン本体２ａの下面が屋根材５に圧着すると共に、内外の環状突起２ｄ、２ｅが押し潰されることで二重となる止水が得られることで、屋根材５に対して軸部４ａが螺合貫通する部分又は、図示例の場合の、屋根材５に設けたネジ４の軸部挿通孔５ａを確実に防水することができる。
【００４３】
また、パッキン２の外側を座金３が覆い、前記パッキン２における座金取付筒２ｃは、座金３の板厚よりも長くして上面に突出させるようになっているので、十分な圧縮量を確保することができ、しかも、パッキン本体２ａの下面は内外の環状突起２ｄ、２ｅが押し潰されることで二重となる止水が得られるので、シール装置１に対してネジ４が少し傾斜した状態でねじ込まれた場合において、パッキン本体２ａはネジ４が傾斜した側が強く圧縮されても、座金取付筒２ｃによってネジ４の頭部４ｂの下面と座金３の頂部間をシールすることができ、また、パッキン本体２ａの片寄った圧縮は椀形の座金３によって均等に分散されるので、内外に二重となる環状突起２ｄ、２ｅでの止水を確保することができ、ネジ４の傾斜によるシール機能の低下発生を防ぐことができる。
【符号の説明】
【００４４】
１        シール装置
２        パッキン
２ａ      パッキン本体
２ｂ      ネジ挿通孔
２ｃ      座金取付筒
２ｄ      最外側に位置する環状突起
２ｅ      最内側に位置する環状突起
２ｆ      支持リブ
２ｇ      環状鍔
３        座金
３ａ      嵌合孔
４        ネジ
４ａ      軸部
４ｂ      頭部
５        屋根材
５ａ      軸部挿通孔
【図１】
2018059595.tif 000003
【図２】
2018059595.tif 000004
【図３】
2018059595.tif 000005